(57)【要約】  【課題】  文字入力などの面倒な操作を必要とせず通信先候補を選択可能なＩＰ電話端末装置及びその通信方法を提供すること。  【解決手段】  ＩＰ電話端末装置１ａがＩＰ電話端末装置１ｂ、１ｃ、１ｄへ検索メッセージを送信すると（ステップＳ１）、ＩＰ電話端末装置１ｂ、１ｃ、１ｄは、自端末に割り当てられているＩＰアドレスと、設定されている識別子とを含む応答メッセージをＩＰ電話端末装置１ａへ送信する（ステップＳ２、Ｓ３、Ｓ４）。ＩＰ電話端末装置１ａは、受信した応答メッセージに基づいて、各ＩＰ端末装置の識別子及びＩＰアドレスを対応付けた対応表を作成する（ステップＳ５）。使用者は識別子から通信先の候補の選択を行うことができる。【選択図】  図４
2006019797.tif 000002
【特許請求の範囲】
【請求項１】
通信回線を介して他の端末装置と通信を行う通信手段と、
前記他の端末装置を検索する検索メッセージを生成して、前記通信手段を介して前記他の端末装置へ送信する検索メッセージ生成手段と、
前記通信手段を介して、前記検索メッセージに対する応答として、前記他の端末装置から、その端末装置のＩＰアドレス及び識別子を含む応答メッセージを受信した場合に、前記ＩＰアドレス及び識別子を対応付けた管理情報を生成するアドレス−識別子管理手段と、
通信先の候補として前記識別子を表示する表示手段と、
を備えるＩＰ電話端末装置。
【請求項２】
請求項１記載のＩＰ電話端末装置であって、
前記表示された前記識別子から通信先の識別子を決定する通信先決定手段と、前記管理情報を参照して前記決定した識別子に対応するＩＰアドレスに対して発信処理を行う発信手段と、を更に備えるＩＰ電話端末装置。
【請求項３】
請求項１又は２記載のＩＰ電話端末装置であって、
前記識別子の候補を記憶する識別子記憶手段と、前記識別子記憶手段に記憶された識別子の候補から自端末の識別子を設定する識別子設定手段と、を更に備えるＩＰ電話端末装置。
【請求項４】
請求項３記載のＩＰ電話端末装置であって、
前記他の端末装置を検索する検索メッセージを受信した場合に、自端末に割り当てられたＩＰアドレスと、前記設定された識別子とを含む応答メッセージを前記他の端末へ送信する応答メッセージ生成手段を更に備えるＩＰ電話端末装置。
【請求項５】
他の端末装置を検索する検索メッセージを生成するステップと、
通信手段を介して前記他の端末装置へ前記検索メッセージを送信するステップと、
前記検索メッセージに対する応答として、前記他の端末装置から、その端末装置のＩＰアドレス及び識別子を含む応答メッセージを受信した場合に、前記ＩＰアドレス及び識別子を対応付けて管理情報を生成するステップと、
通信先の候補として前記識別子を表示するステップと、
を有するＩＰ電話端末装置の通信方法。
【請求項６】
請求項５記載の通信方法であって、
前記表示された前記識別子から通信先の識別子を決定するステップと、前記管理情報を参照して前記決定した識別子に対応するＩＰアドレスに対して発信処理を行うステップと、を更に有する通信方法。
【請求項７】
請求項５又は６記載の通信方法であって、
識別子記憶手段に記憶された識別子の候補から自端末の識別子を設定するステップを更に有する通信方法。
【請求項８】
請求項７記載の通信方法であって、
前記他の端末装置を検索する検索メッセージを受信した場合に、自端末に割り当てられたＩＰアドレスと、前記設定された識別子とを含む応答メッセージを前記他の端末へ送信するステップを更に有する通信方法。
【請求項９】
コンピュータに、請求項５ないし８のいずれか一項記載の各ステップを実行させるプログラム。
【発明の詳細な説明】
【技術分野】
【０００１】
本発明はインターネットプロトコル（Internet Protocol）を用いて音声通信を行うＩＰ電話端末装置及びその通信方法に関する。
【背景技術】
【０００２】
従来のＩＰ電話システムでは、通信先の端末との接続を確立するために、相手のＩＰアドレスを直接入力する必要があった。また、呼制御を行うプロトコルであるＳＩＰ（Session Initiation Protocol）を用いたＩＰ電話システムでは、端末特定のためのアドレスであるＳＩＰ  ＵＲＩ（Universal Resource Identifier）を入力し、端末特定用のＳＩＰサーバを用いる必要があった。
【０００３】
また、ユーザが端末を使用するたびに、端末にユーザＩＤを入力し、ユーザＩＤと端末のアドレスが更新されたことをブロードキャスト送信することで各端末が常にアドレス管理テーブルを更新し共有することで、端末アドレス（ＩＰアドレス）を知らずとも発信が可能な通信装置があった（例えば、特許文献１参照）。
【特許文献１】特開平６−３３４６６１号公報
【発明の開示】
【発明が解決しようとする課題】
【０００４】
しかしながら、上記従来の通信装置にあっては、使用者が発信先のユーザＩＤなどの固有の識別子を知っておく必要があり、さらに、各端末が識別子として持っているユーザＩＤは、ユーザ操作により入力されるものであるため、煩雑な文字の入力操作が必要であるという事情があった。
【０００５】
本発明は、上記従来の事情に鑑みてなされたものであって、文字入力などの面倒な操作を必要とせず通信先候補を選択可能なＩＰ電話端末装置及びその通信方法を提供することを目的とする。
【課題を解決するための手段】
【０００６】
本発明のＩＰ電話端末装置は、通信回線を介して他の端末装置と通信を行う通信手段と、前記他の端末装置を検索する検索メッセージを生成して、前記通信手段を介して前記他の端末装置へ送信する検索メッセージ生成手段と、前記通信手段を介して、前記検索メッセージに対する応答として、前記他の端末装置から、その端末装置のＩＰアドレス及び識別子を含む応答メッセージを受信した場合に、前記ＩＰアドレス及び識別子を対応付けた管理情報を生成するアドレス−識別子管理手段と、通信先の候補として前記識別子を表示する表示手段と、を備える。
【０００７】
この構成により、使用者は、文字入力などの面倒な操作を必要とせず通信先候補を選択することができる。
【０００８】
また、本発明のＩＰ電話端末装置は、前記表示された前記識別子から通信先の識別子を決定する通信先決定手段と、前記管理情報を参照して前記決定した識別子に対応するＩＰアドレスに対して発信処理を行う発信手段と、を更に備える。
【０００９】
この構成により、識別子を選択するだけで発信処理を行うことができるので、使用者は、容易に分かりやすく発信処理を行うことができる。
【００１０】
また、本発明のＩＰ電話端末装置は、前記識別子の候補を記憶する識別子記憶手段と、前記識別子記憶手段に記憶された識別子の候補から自端末の識別子を設定する識別子設定手段と、を更に備える。
【００１１】
この構成により、識別子の文字入力が必要なく、候補から選択するのみでよいので、容易に、かつ、分かりやすく識別子の登録を行うことができる。
【００１２】
また、本発明のＩＰ電話端末装置は、前記他の端末装置を検索する検索メッセージを受信した場合に、自端末に割り当てられたＩＰアドレスと、前記設定された識別子とを含む応答メッセージを前記他の端末へ送信する応答メッセージ生成手段を更に備える。
【００１３】
この構成により、他の端末装置に対して自端末のＩＰアドレスと識別子とを通知することで、他の端末装置に自装置の識別子を認識させることができる。
【００１４】
本発明のＩＰ電話端末装置の通信方法は、他の端末装置を検索する検索メッセージを生成するステップと、通信手段を介して前記他の端末装置へ前記検索メッセージを送信するステップと、前記検索メッセージに対する応答として、前記他の端末装置から、その端末装置のＩＰアドレス及び識別子を含む応答メッセージを受信した場合に、前記ＩＰアドレス及び識別子を対応付けて管理情報を生成するステップと、通信先の候補として前記識別子を表示するステップと、を有する。
【００１５】
この方法により、使用者は、文字入力などの面倒な操作を必要とせず通信先候補を選択することができる。
【００１６】
また、本発明の通信方法は、前記表示された前記識別子から通信先の識別子を決定するステップと、前記管理情報を参照して前記決定した識別子に対応するＩＰアドレスに対して発信処理を行うステップと、を更に有する。
【００１７】
この方法により、識別子を選択するだけで発信処理を行うことができるので、使用者は、容易に分かりやすく発信処理を行うことができる。
【００１８】
また、本発明の通信方法は、識別子記憶手段に記憶された識別子の候補から自端末の識別子を設定するステップを更に有する。
【００１９】
この方法により、識別子の文字入力が必要なく、候補から選択するのみでよいので、容易に、かつ、分かりやすく識別子の登録を行うことができる。
【００２０】
また、本発明の通信方法は、前記他の端末装置を検索する検索メッセージを受信した場合に、自端末に割り当てられたＩＰアドレスと、前記設定された識別子とを含む応答メッセージを前記他の端末へ送信するステップを更に有する。
【００２１】
この方法により、他の端末装置に対して自端末のＩＰアドレスと識別子とを通知することで、他の端末装置に自装置の識別子を認識させることができる。
【００２２】
また、本発明は、上記通信方法の各ステップを実行させるプログラムを提供する。このプログラムにより、使用者は、文字入力などの面倒な操作を必要とせず通信先候補を選択することができる。
【発明の効果】
【００２３】
本発明によれば、文字入力などの面倒な操作を必要とせず通信先候補を選択可能なＩＰ電話端末装置及びその通信方法を提供することができる。
【発明を実施するための最良の形態】
【００２４】
図１は、本発明の実施形態を説明するためのＩＰ電話端末装置を示す概略構成図である。図１に示すように、本発明の実施形態のＩＰ電話端末装置１は、通信部１１と、制御部１２と、識別子−アドレス管理部１３と、識別子記憶部１４と、入力部１５と、表示部１６と、音声入出力部１７とを備える。
【００２５】
ここで、ＩＰ電話端末装置１としては、ＩＰ電話専用機、固定電話または移動電話にＩＰ電話機能を備えたもの、また、パーソナルコンピュータにＩＰ電話ソフトウェアを搭載したもの等が挙げられる。また、通信回線２としては、ＬＡＮ（Local Area Network）等の、有線又は無線の種々の通信回線が適用可能である。なお、本実施形態では、ＩＰ電話システムを宅内の内線電話適用した場合を例にとって説明する。
【００２６】
通信部１１は、通信回線２を介して他のＩＰ電話端末装置とデータの送受信を行う。制御部１２は、ＩＰ電話端末装置１全体の動作の制御を行うもので、所定のプログラムによって動作するプロセッサを主体に構成される。また、例えば、検索メッセージの生成や検索メッセージに対する応答メッセージの生成、表示部１６に対する表示情報の生成、発信処理、識別子の設定処理を行う。尚、これらの処理は後述する。
【００２７】
識別子−アドレス管理部１３は、通信可能な他のＩＰ電話端末装置の識別子とＩＰアドレスとを対応付けて管理し、管理情報を生成する。識別子記憶部１４は、予め登録された識別子を記憶する。
【００２８】
入力部１５は、ＩＰ電話端末装置１の機能に関する使用者からの、通信先の決定等の操作入力を受け付ける。表示部１６は、ＩＰ電話端末装置１の機能や、自装置設定用の識別子、通信先候補等の表示を行う。音声入出力部１７は、レシーバ及びマイク等を有し、通信部１１を介して行われる音声通話等の音声入出力を行う。レシーバ及びマイク等は、ＩＰ電話端末装置の外部に設けられてもよく、音声入出力部１７は、それらに対するインタフェースとして機能してもよい。
【００２９】
次に、本発明の実施形態のＩＰ電話端末の識別子登録動作について説明する。まず、ＩＰ電話端末１の使用開始時に、使用するＩＰ電話端末装置に識別子を設定する。すなわち、使用者が入力部１５を用いて識別子設定の開始を指示すると、制御部１２は、識別子記憶部１４から予め登録されている識別子を読み出し、読み出した識別子を表示部１６に表示する。
【００３０】
ここで、識別子記憶部１４に登録しておく識別子としては、例えば、家庭内の内線電話のような限られた使用シーンを想定すると、「１階」、「２階」、「居間」などの使用場所や、「祖父」「母」「長男」のような使用者など、利用されるＩＰ電話端末装置を識別できるような識別子の候補が挙げられる。
【００３１】
図２は、識別子選択時の表示例を示す図である。図２に示すように、登録された識別子の候補を羅列して表示している。使用者は、入力部１５を用いて、表示部１６に表示された識別子から設定すべき識別子を選択及び決定を行うことで、使用するＩＰ電話端末装置１に識別子を設定する。
【００３２】
このように、ＩＰ電話端末装置１の使用開始時に、識別子の文字入力が必要なく、候補から選択するのみでよいので、容易に、かつ、分かりやすく識別子の登録を行うことができる。
【００３３】
次に、本発明のＩＰ電話システムの動作について説明する。図３は、本発明の実施形態に係るＩＰ電話システムを示す概略構成図である。図３に示すように、本発明の実施形態のＩＰ電話システムは、ＩＰ電話端末装置１ａ〜１ｄが通信回線２を介して互いに通信可能に接続されている。なお、ＩＰ電話端末装置１ａ〜１ｄは、図１で説明したＩＰ電話端末装置１と同様の構成を有する。
【００３４】
図４は、本発明の実施形態に係るＩＰ電話システムの発信動作を説明するためのシーケンス図である。なお、本実施形態では、ＩＰ電話端末装置１ｂの識別子として「居間」が、ＩＰ電話端末装置１ｃの識別子として「長男」が、ＩＰ電話端末装置１ｂの識別子として「母」が設定されている場合について説明する。
【００３５】
ＩＰ電話端末装置１ａにおいて、使用者が入力部１５を用いて発信開始又は他装置検索の指示を行った場合、制御部１２は通信部１１及び通信回線２を介して他装置、すなわちＩＰ電話端末装置１ｂ、１ｃ、１ｄへ検索メッセージをマルチキャスト又はブロードキャスト送信する（ステップＳ１）。
【００３６】
ＩＰ電話端末装置１ｂ、１ｃ、１ｄの制御部１２は、ＩＰ電話端末装置１ａから検索メッセージを受信すると、自端末に割り当てられているＩＰアドレスと、設定されている識別子（それぞれ、「居間」、「長男」、「母」）とを含む応答メッセージをＩＰ電話端末装置１ａへ送信する（ステップＳ２、Ｓ３、Ｓ４）。
【００３７】
ＩＰ電話端末装置１ａは、ＩＰ電話端末装置１ｂ、１ｃ、１ｄから応答メッセージを受信すると、識別子−アドレス管理部１３で、管理情報として識別子−ＩＰアドレス対応表を作成する。図５は、識別子−ＩＰアドレス対応表の例を示す図である。図５に示すように、識別子−ＩＰアドレス対応表には、ステップＳ２、Ｓ３、Ｓ４にて送信された各ＩＰ電話端末装置の識別子とＩＰアドレスとが対応付けられている。
【００３８】
そして、制御部１２は、表示部１６に、発信先の候補としてＩＰ電話端末装置を、識別子として表示させる。図６は、通話先選択時の表示例を示す図である。図６に示すように、発信先の候補として、識別子が羅列して表示されている。使用者は、入力部１５を用いて、表示部１６に表示された識別子から通話先の選択及び決定を行うことができる。したがって、使用者はＩＰアドレスを意識することや、識別子を直接入力することせずに、所望の発信先を選択する操作のみで発信操作が可能となる。
【００３９】
次に、使用者が通話先として「長男」を決定すると（ステップＳ６）、制御部１２は、識別子−ＩＰアドレス対応表を参照して、通話先のＩＰアドレスとして「１９２．１６８．２．１１」を設定する。そして、設定されたＩＰアドレス宛、すなわちＩＰ電話端末装置１ｃへ接続要求を行う（ステップＳ７）。ＩＰ電話端末装置１ｃが通信可能であれば通信可能であることを示す応答を送信し（ステップＳ８）、ＩＰ電話端末装置１ａとＩＰ電話端末装置１ｃとの間の通話が開始される（ステップＳ９）。
【００４０】
このような本発明の実施形態のＩＰ電話端末装置によれば、ＩＰ電話端末装置の発信時に、通信先として識別子の候補から選択するのみでよいので、容易に、かつ、分かりやすく通信先の指定を行うことができる。
【００４１】
また、ＳＩＰ  ＵＲＩを用いず、ＩＰアドレスで直接通信先を指定することができるので、ＳＩＰサーバを設置しない環境で使用可能なＩＰ電話システムを提供することができる。
【００４２】
更に、ＩＰアドレスの変更、端末ごとの使用者の変更が頻繁に発生する環境においても、端末装置ごとのアドレス帳等を逐一更新する必要がないため、使用者の手を煩わせることなく、最新のＩＰ電話端末装置の識別子を得ることができる。
【産業上の利用可能性】
【００４３】
本発明のＩＰ電話端末装置及びその通信方法は、文字入力などの面倒な操作を必要とせず通信先候補を選択可能な効果を有し、宅内の内線電話システム等に有用である。
【図面の簡単な説明】
【００４４】
【図１】本発明の実施形態を説明するためのＩＰ電話端末装置を示す概略構成図
【図２】識別子選択時の表示例を示す図
【図３】本発明の実施形態に係るＩＰ電話システムを示す概略構成図
【図４】本発明の実施形態に係るＩＰ電話システムの発信動作を説明するためのシーケンス図
【図５】識別子−ＩＰアドレス対応表の例を示す図
【図６】通話先選択時の表示例を示す
【符号の説明】
【００４５】
１、１ａ、１ｂ、１ｃ、１ｄ  ＩＰ電話端末装置
２  通信回線
１１  通信部
１２  制御部
１３  識別子−アドレス管理部
１４  識別子記憶部
１５  入力部
１６  表示部
１７  音声入出力部
【図１】
2006019797.tif 000003
【図２】
2006019797.tif 000004
【図３】
2006019797.tif 000005
【図４】
2006019797.tif 000006
【図５】
2006019797.tif 000007
【図６】
2006019797.tif 000008